(57)【要約】【課題】  本発明は、インクカセットがカセット装着部に装着されたかどうかを簡単で確実に確認できる、操作性の良いプリンタを提供すること。【解決手段】  本発明のプリンタ１は、インクカセット７を装着可能な一方側が開放された開口部３ａを有するカセット装着部３と、開口部３ａを開閉可能な蓋体４とを備え、カセット装着部３に装着したインクカセット７は、開口部３ａを閉じる時の蓋体４に押されてカセット装着部３に装着可能となっていると共に、カセット装着部３から抜け止め可能なストッパ部材６が配設されている。【選択図】        図２
2005067168.tif 000002
【特許請求の範囲】
【請求項１】
インクカセットを装着可能な一方側が開放された開口部を有するカセット装着部と、前記開口部を開閉可能な蓋体とを備え、前記カセット装着部に装着した前記インクカセットは、前記開口部を閉じる時の前記蓋体に押されて前記カセット装着部に装着可能となっていると共に、前記カセット装着部から抜け止め可能なストッパ部材が配設されていることを特徴とするプリンタ。
【請求項２】
前記ストッパ部材は、前記開口部を閉じる方向にスライド移動可能に配設され、前記開口部から挿入する前記インクカセットが、前記ストッパ部材を前記閉じる方向と反対方向に移動させるようにしたことを特徴とする請求項１記載のプリンタ。
【請求項３】
前記蓋体には、前記開口部から挿入した前記インクカセットを押し込み可能な凸部が形成され、前記凸部に押されて前記インクカセットが前記カセット装着部に装着されると、前記ストッパ部材が前記スライド移動して前記インクカセットを前記抜け止めするようにしたことを特徴とする請求項２記載のプリンタ
【請求項４】
前記蓋体には、前記スライド移動した前記ストッパ部材の動きを規制可能な規制部が形成されていることを特徴とする請求項２又は３記載のプリンタ。
【請求項５】
前記ストッパ部材は、弾性部材に付勢されて前記スライド移動可能になっており、前記蓋体が前記開口部を開放する方向に移動する動作に連動して、前記弾性部材の付勢力に抗して前記ストッパ部材が前記スライド方向と反対方向に移動して、前記インクカセットの抜け止めが解除されるようにしたことを特徴とする請求項請求項２乃至４のいずれかに記載のプリンタ。
【請求項６】
前記カセット装着部には、装着した前記インクカセットを排出方向に弾性付勢可能なイジェクトバネが配設されていることを特徴とする請求項５記載のプリンタ。
【発明の詳細な説明】
【技術分野】
【０００１】
本発明はプリンタに係わり、特にインクカセットを装着可能なカセット装着部を有するプリンタに関する。
【背景技術】
【０００２】
従来のプリンタ２１を、図４、図５に基づいて説明すると、従来のプリンタ２１には、内部が空洞状で一方側が開放された開口部２２ａを有するカセット装着部２２が形成されている。
そして、従来のプリンタ２１を、例えば熱転写プリンタで説明すると、開口部２２ａから挿入してカセット装着部２２に装着可能な、内部にインクリボン（図示せず）を収納したインクカセット２３が配設されている。
また、プリンタ２１には、開口部２２ａを開閉可能な蓋体２４が配設され、この蓋体２４は、支持部２４ａを支点として回動可能になっている。
また、カセット装着部２２に装着した状態のインクカセット２３は、開口部２２ａ側に位置する一端部側のコーナ部２３ａに、蓋体２４に形成した係合部２４ｂが係合可能になっている。
【０００３】
このような従来のプリンタ２１における、インクカセット２３のカセット装着部２２への装着動作を説明する。
まず、蓋体２４を下方側に回動させて、開放された開口部２２ａからインクカセット２３をカセット装着部２２に挿入する。
その後、蓋体２４を図示上方に回動させると、蓋体２４の側面２４ｃがインクカセット２３の一端面を押圧して、カセット装着部２２にインクカセット２３が装着される。
同時に、蓋体２４の係合部２４ｂがインクカセット２３のコーナ部２３ａに係合して、インクカセット２３がカセット装着部２２から抜け止めされる。
その後、図示を省略した印刷部を駆動させて、インクリボンのインクを記録用紙に熱転写することにより、記録用紙に所望の画像が印刷可能になっている。  
【特許文献１】特開２００１−３８９８０号公報
【発明の開示】
【発明が解決しようとする課題】
【０００４】
しかし、前述したような従来のプリンタ２１は、カセット装着部２２にインクカセット２３が完全に挿入されない未装着状態でも、蓋体２４の係合部２４ｂをインクカセット２３のコーナ部２３ａに係合させることができる。
そのために、蓋体２４を閉じた状態では、インクカセット２３が装着状態か未装着状態かの確認がしにくかった。
そして、インクカセット２３が未装着状態で、印刷部を駆動させると、内部のインクリボンの巻き取りが正常に行われないで、印刷不良になるおそれがあった。
あるいは、プリンタ２１がインクジェットプリンタの場合は、インクカセット２３にインク液供給針（図示せず）が完全に差し込むことができなくて、インクカセット内のインク液を、印刷ヘッド側に確実に供給できないおそれがあった。
【０００５】
そのために、従来のプリンタ２１は、インクカセット２３をカセット装着部２２に装着して蓋体２４を閉じた後に、インクカセット２３が確実にカセット装着部２２に装着されているかどうかを、その都度確認してから印刷を開始していたので操作性が悪かった。
本発明は前述したような課題を解決して、インクカセットがカセット装着部に装着されたかどうかを簡単で確実に確認できる、操作性の良いプリンタを提供することを目的とする。
【課題を解決するための手段】
【０００６】
前記課題を解決するための第１の手段として本発明のプリンタは、インクカセットを装着可能な一方側が開放された開口部を有するカセット装着部と、前記開口部を開閉可能な蓋体とを備え、前記カセット装着部に装着した前記インクカセットは、前記開口部を閉じる時の前記蓋体に押されて前記カセット装着部に装着可能となっていると共に、前記カセット装着部から抜け止め可能なストッパ部材が配設されていることを特徴とする。
【０００７】
また、前記課題を解決するための第２の手段として、前記ストッパ部材は、前記開口部を閉じる方向にスライド移動可能に配設され、前記開口部から挿入する前記インクカセットが、前記ストッパ部材を前記閉じる方向と反対方向に移動させるようにしたことを特徴とする。
【０００８】
また、前記課題を解決するための第３の手段として、前記蓋体には、前記開口部から挿入した前記インクカセットを押し込み可能な凸部が形成され、前記凸部に押されて前記インクカセットが前記カセット装着部に装着されると、前記ストッパ部材が前記スライド移動して前記インクカセットを前記抜け止めするようにしたことを特徴とする。
【０００９】
また、前記課題を解決するための第４の手段として、前記蓋体には、前記スライド移動した前記ストッパ部材の動きを規制可能な規制部が形成されていることを特徴とする請求項２又は３記載のプリンタ。
【００１０】
また、前記課題を解決するための第５の手段として、前記ストッパ部材は、弾性部材に付勢されて前記スライド移動可能になっており、前記蓋体が前記開口部を開放する方向に移動する動作に連動して、前記弾性部材の付勢力に抗して前記ストッパ部材が前記スライド方向と反対方向に移動して、前記インクカセットの抜け止めが解除されるようにしたことを特徴とする。
【００１１】
また、前記課題を解決するための第６の手段として、前記カセット装着部には、装着した前記インクカセットを排出方向に弾性付勢可能なイジェクトバネが配設されいるので、抜け止めが解除されたインクカセットを、イジェクトバネによってカセット装着部から排出することができ、操作性がよい。
【発明の効果】
【００１２】
本発明のプリンタは、カセット装着部に装着したインクカセットは、開口部を閉じる時の蓋体に押されてカセット装着部に装着可能となっていると共に、カセット装着部から抜け止め可能なストッパ部材が配設されているので、インクカセットをカセット装着部に確実に装着することができると共に、装着したインクカセットを抜け止めすることができる。
【００１３】
また、ストッパ部材は、開口部を閉じる方向にスライド移動可能に配設され、開口部から挿入するインクカセットが、ストッパ部材を前記閉じる方向と反対方向に移動させるようにしたので、操作性が良い。
【００１４】
また、蓋体には、開口部から挿入したインクカセットを押し込み可能な凸部が形成され、凸部に押されてインクカセットがカセット装着部に装着されると、ストッパ部材がスライド移動してインクカセットを抜け止めするようにしたので、インクカセットをカセット装着部に押し込んで確実に装着できる。
【００１５】
また、蓋体には、スライド移動したストッパ部材の動きを規制可能な規制部が形成されているので、外部からプリンタに振動等が加わっても、ストッパ部材によるインクカセットの抜け止めが外れることがない。
【００１６】
また、蓋体が開口部を開放する方向に移動する動作に連動して、弾性部材の付勢力に抗してストッパ部材がスライド方向と反対方向に移動して、インクカセットの抜け止めが解除されるようにしたので、更に操作性が良い。
【００１７】
また、カセット装着部には、装着したインクカセットを排出方向に弾性付勢可能なイジェクトバネが配設され、抜け止めが解除されたインクカセットは、前記イジェクトバネによって前記カセット装着部から排出可能としたことを特徴とする
【発明を実施するための最良の形態】
【００１８】
以下、図面に基づいて本発明の実施の形について説明する。まず、図１は本発明に関するプリンタの要部側面図であり、図２は図１に示すプリンタにインクカセットを装着する動作を説明する要部側面図であり、図３は図１に示すプリンタにインクカセットを装着した要部側面図である。
【００１９】
まず、本発明のプリンタ１は、図１に示すように、筐体２の内部に空洞状のカセット装着部３が形成され、このカセット装着部３は、筐体２の一端面２ａ側である一方側が開放されて開口部３ａが形成されている。
また、筐体２には、後述する蓋体４を支持可能な支持部２ｂが、一端面２ａの下部側から図示右方向に突出形成されている。
また、筐体２の一端面２ａの上部側には、後述するストッパ部材５をスライド自在にガイド可能なガイド部２ｃが上方に延長形成されている。
【００２０】
また、支持部２ｂには、開口部３ａを開閉可能な蓋体４が回動自在に支持されている。前記蓋体４は、金属板を折り曲げして、支持部２ｂに支持可能な回動部４ａが形成されている。
また、蓋体４には、後述するインクカセット７の一端面７ａと対向可能な側板４ｂを有し、この側板４ｂの図示右端部を直角状に折り曲げて、後述するストッパ部材５の上方側への動きを規制可能な規制部４ｃが形成されている。
また、蓋体４の側板４ｂには、所定高さで直立する凸部４ｄが、例えば接着剤等で固着されている
このような蓋体４は、回動部４ａが筐体２の支持部２ｂに小ネジ５等で支持されて、回動部４ａを支点として矢印Ａ、Ｂ方向に回動自在になっている。
【００２１】
また、筐体２のガイド部２ｃには、ストッパ部材６が開口部３ａを閉じる方向である矢印Ｃ方向、および開口部３ａを開放する方向である矢印Ｄ方向にスライド移動可能にガイドされて配設されている。
また、ストッパ部材６には、ガイド部２ｃに対してスライド自在のストッパ面６ａと、このストッパ面６ａに対して所定角度で傾斜する傾斜面６ｂとが形成されている。
そして、ストッパ部材６は、弾性部材（図示せず）によって、常時矢印Ｃ方向の開口部３ａを閉じる方向に付勢されている。
【００２２】
また、内部にインクリボンを収納したインクカセット７は、開口部３ａから前側面７ａ側を挿入してカセット装着部３に装着可能になっている。
そして、カセット装着部３に装着したインクカセット７は、後側面７ｂが筐体２の一端面２ａと重なった状態、又は後側面７ｂが一端面２ａより若干内側に位置するようになっている。
また、カセット装着部３の内部には、装着したインクカセット７を排出方向に弾性付勢するイジェクトバネ（図示せず）が配設されている。
そのために、ストッパ部材６による抜け止めが解除されたインクカセット７は、イジェクトバネによってカセット装着部３から後側面７ｂ側が排出可能になっている。
【００２３】
このような本発明のプリンタ１における、インクカセット７をカセット装着部３に装着する動作を説明すると、まず、インクカセット７をカセット装着部３に装着する前のストッパ部材６は、図１に示すように、矢印Ｃ方向の開口部３ａを閉じる方向にスライド移動した状態になっている。
そして、蓋体４を図示下方側の矢印Ａ方向に回動させて、開放された開口部３ａから、インクカセット７の前側面７ａ側をカセット装着部３に挿入する。
この時のインクカセット７は、前側面７ａ側の上部コーナ部が、ストッパ部材６の傾斜面６ｂに当接し、弾性部材の付勢力に抗してストッパ部材６を矢印Ｄの上方に押し上げて、カセット装着部３に挿入される。
【００２４】
そして、カセット装着部３にインクカセット７が所定量挿入されると、蓋体４を矢印Ｂ方向の上方側に回動させると、凸部４ｄがインクカセット７の後側面７ｂを押圧する。このことにより、インクカセット７がカセット装着部３に押し込まれて装着される。
前記カセット装着部３に装着されたインクカセット７は、図３に示すように、後側面７ｂが筐体２の一端面２ａと重なった状態、又は後側面７ｂが一端面２ａより若干内側に位置した状態となる。
【００２５】
そのために、矢印Ｄ方向に上昇していたストッパ部材６は、弾性部材の付勢力で矢印Ｃ方向に降下する。
このことにより、カセット装着部３に装着したインクカセット７が、ストッパ部材６で抜け止めされる。
前記インクカセット７を抜け止めしているストッパ部材６は、上端面に蓋体４の規制部４ｃがかぶさって、動きが規制されるようになっている。
【００２６】
そのために、規制部４ｃで動きが規制されたストッパ部材６は、プリンタ１に外部から振動等が加わったとしても、インクカセット７の抜け止めが外れることがない。
このような本発明のプリンタ１は、カセット装着部３にインクカセット７が装着されると、ストッパ部材６が矢印Ｃ方向にスライド移動する。
このストッパ部材６のスライド移動を目視等で検知することにより、インクカセット７がカセット装着部３に装着されたことを知ることができ、インクカセット７を装着する時の操作性が良い。
【００２７】
また、カセット装着部３に装着したインクカセット７を取り出すには、蓋体４を矢印Ａ方向に回動させると、規制部４ｄによるストッパ部材６の矢印Ｄ方向への規制が解除される。
そして、蓋体４を更に矢印Ａ方向に回動させる動作に連動して、ストッパ部材６が、弾性部材（図示せず）の付勢力に抗して矢印Ｄの上方にスライド移動して、インクカセット７の抜け止めが解除される。
前記抜け止めが解除されたインクカセット７は、イジェクトバネ（図示せず）によって、後側面７ｂ側が開口部３ａから所定量排出される。
この開口部３ａから排出された後側面７ｂ側を、操作者の手でつかんで、インクカセット７をカセット装着部３から取り出すことができる。
【００２８】
尚、本発明の実施の形態では、蓋体４に規制部４ｃと凸部４ｄとを形成したもので説明したが、規制部４ｃ、または凸部４ｄのいずれか一方だけ形成したものでも良い。
また、本発明では、プリンタ１を熱転写プリンタで説明し、内部にインクリボンを収納したインクカセット７で説明したが、プリンタ１は、インクジェットプリンタでも良い。そして、プリンタ１がインクジェットプリンタの場合のインクカセット７は、内部にインク液を封入されて、カセット装着部３の奥部には、インク液供給針（図示せず）が配設されている。
【００２９】
また、蓋体４の側板４ｂに凸部４ｄを形成し、この凸部４ｄでインクカセット７の後側面７ｂを押圧してカセット装着部３のインクカセット７を押し込むことで説明したが、蓋体４の側板４ｂで直接インクカセット７の後側面７ｂを押圧するようにしたものでも良い。
【図面の簡単な説明】
【００３０】
【図１】本発明に関するプリンタの要部側面図である。
【図２】図１に示すプリンタにインクカセットを装着する動作を説明する要部側面図である。
【図３】図１に示すプリンタにインクカセットを装着した要部側面図である。
【図４】従来のプリンタの要部側面図である。
【図５】従来のプリンタにインクカセットを装着する動作を説明する要部側面図である。
【符号の説明】
【００３１】
１：本発明のプリンタ
２：筐体
２ａ：一端面
２ｂ：支持部
２ｃ：ガイド部
３：カセット装着部
３ａ：開口部
４：蓋体
４ａ：回動部
４ｂ：側板
４ｃ：規制部
４ｄ：凸部
５：小ネジ
６：ストッパ部材
６ａ：ストッパ面
６ｂ：傾斜面
７：インクカセット
７ａ：前側面
７ｂ：後側面
【図１】
2005067168.tif 000003
【図２】
2005067168.tif 000004
【図３】
2005067168.tif 000005
【図４】
2005067168.tif 000006
【図５】
2005067168.tif 000007